(57)【要約】【課題】絶縁物のトラッキング劣化を早期に検出する。【解決手段】がいし１は、スイッチギアに内設される絶縁支持物であり、母線２に接続される。計器用変圧器３は、がいし１が母線２から受ける電圧を測定する。計器用変流器４は、がいし１の下部に接続された接地線に流れる電流を測定する。定期的に行われる検査において、がいし１に電圧ストレスを印加したときに、がいし１の弱い箇所でシンチレーションがランダムに発生する。マイクロホンＭ１及びＭ２は、がいし１から所定距離だけ離れた位置に、所定間隔を空けて設置され、がいし１で発生する音響信号を測定する。そして、マイクロホンＭ１及びＭ２が測定した音響信号が所定値以上の振動幅を有し、２つの音響信号間において、マイクロホンＭ１及びＭ２の間の距離に応じた時間相関があるか否かをチェックし、時間相関があれば、がいし１でシンチレーション発生の可能性があると判定する。
2013160991.tif 000002
【特許請求の範囲】
【請求項１】
絶縁物の表面劣化の前兆現象であるシンチレーションの発生を推定する方法であって、
前記絶縁物に電圧を印加するステップと、
前記電圧を印加した絶縁物から発生する音響信号を測定するステップと、
前記測定した音響信号の振動幅が所定値を超えた場合に、前記シンチレーションが発生したと推定するステップと、
を実行することを特徴とするシンチレーション推定方法。
【請求項２】
絶縁物の表面劣化の前兆現象であるシンチレーションの発生を推定する方法であって、
前記絶縁物に電圧を印加するステップと、
前記電圧を印加した絶縁物から同じ方向かつ異なる距離にある２個のマイクロホンを用いて、当該絶縁物から発生する音響信号を測定するステップと、
前記２個のマイクロホンで測定した音響信号の振動幅がともに所定値を超え、かつ、当該音響信号の振動幅が所定値を超えた各時刻の差が前記２個のマイクロホンの間の距離に応じた時間値である場合に、当該絶縁物において前記シンチレーションが発生したと推定するステップと、
を実行することを特徴とするシンチレーション推定方法。
【請求項３】
請求項２に記載のシンチレーション推定方法であって、
前記絶縁物において前記シンチレーションが発生したと推定するステップにおいて、前記音響信号の振動幅がともに所定値を超え、かつ、前記各時刻の差が前記２個のマイクロホンの間の距離に応じた時間値である場合に、
前記２個のマイクロホンのうち、いずれか一方のマイクロホンと、当該絶縁物との間の距離を取得するステップと、
商用電源により前記絶縁物に印加される電圧を測定するステップと、
前記一方のマイクロホンで測定した音響信号が前記所定値を超えた時刻から、前記取得した距離に応じた時間値を減算した時刻を、前記絶縁物でシンチレーションが発生した時刻として推定するステップと、
を実行し、
前記推定した時刻における前記電圧の位相が略９０度又は２７０度であるときに、前記絶縁物においてシンチレーションが発生したと推定する
ことを特徴とするシンチレーション推定方法。
【請求項４】
請求項２又は請求項３に記載のシンチレーション推定方法であって、
前記絶縁物において前記シンチレーションが発生したと推定するステップにおいて、前記音響信号の振動幅がともに所定値を超え、かつ、前記各時刻の差が前記２個のマイクロホンの間の距離に応じた時間値である場合に、
前記絶縁物の接地線電流を測定するステップと、
前記推定した時刻における前記接地線電流の高周波成分の強度を特定するステップと、
を実行し、
前記特定した強度及びその発生頻度がワイブル分布に従っている場合に、前記絶縁物においてシンチレーションが発生したと推定する
ことを特徴とするシンチレーション推定方法。
【発明の詳細な説明】
【技術分野】
【０００１】
本発明は、がいし等の絶縁物におけるトラッキング劣化の前兆現象であるシンチレーションを推定する方法に関する。
【背景技術】
【０００２】
変電所のスイッチギア内には、複数の電力機器が設置され、運転されている。その電力機器の運転中に、エポキシがいし等の絶縁支持物の絶縁性能が低下しつつあることを早期に検出するためには、トラッキング（漏電に始まって絶縁破壊に至る現象）の前兆を把握する必要がある。トラッキングとは、絶縁材料の表面において、絶縁抵抗が低下して、漏れ電流が発生するようになり、さらに短絡や地絡によって絶縁破壊に至る現象である。【０００３】
特許文献１には、放電トラッキングを検出するために、ケーブル端末装置において、接地線電流の高周波成分をトラッキング信号とし、低周波成分を商用信号とした上で、トラッキング信号と、商用信号との比が閾値を超えた場合に、トラッキングが発生していると判断する方法が提案されている。
【先行技術文献】
【特許文献】
【０００４】
【特許文献１】特許第４３１９９５３号公報
【発明の概要】
【発明が解決しようとする課題】
【０００５】
しかしながら、特許文献１の手法を、スイッチギア内に設置されている、有機物で構成されるがいし（例えば、エポキシがいし等）に適用しようとすると、次のような問題がある。【０００６】
（１）スイッチギア内では、複数の電力機器が密集しているために、電気的なノイズが多い。  
（２）トラッキング劣化の前兆現象の信号（以下、「シンチレーション信号」という）が漏れ電流に重畳されるときに、漏れ電流の方がシンチレーション信号より大きいことがある。【０００７】
そして、上記の問題により、接地線電流のＳ／Ｎ比が悪くなってしまい、シンチレーション信号だけを検出することが困難である。【０００８】
本発明は、上記課題を鑑みてなされたものであり、その主たる目的は、絶縁物のトラッキング劣化を早期に検出することにある。
【課題を解決するための手段】
【０００９】
上記課題を解決するために、本発明は、絶縁物の表面劣化の前兆現象であるシンチレーションの発生を推定する方法であって、前記絶縁物に電圧を印加するステップと、前記電圧を印加した絶縁物から発生する音響信号を測定するステップと、前記測定した音響信号の振動幅が所定値を超えた場合に、前記シンチレーションが発生したと推定するステップと、を実行することを特徴とする。  
この方法によれば、表面の絶縁性が劣化し始めた絶縁物に電圧を印加すると、劣化の前兆現象（シンチレーション）として、放電とともにパチパチという音が発生する。そこで、電圧を印加した絶縁物から発生する音響信号を測定し、測定した音響信号の振動幅が所定値より大きければ、シンチレーションが発生したと推定する。これによれば、絶縁物の表面劣化の前兆現象を確実に把握することにより、劣化を早期に検出することができる。そして、音響信号の測定値を用いるので、電気的ノイズが高い環境であっても、感度よくシンチレーションを検出することができる。【００１０】
また、本発明は、絶縁物の表面劣化の前兆現象であるシンチレーションの発生を推定する方法（シンチレーション推定方法）であって、前記絶縁物に電圧を印加するステップと、前記電圧を印加した絶縁物から同じ方向かつ異なる距離にある２個のマイクロホンを用いて、当該絶縁物から発生する音響信号を測定するステップと、前記２個のマイクロホンで測定した音響信号の振動幅がともに所定値を超え、かつ、当該音響信号の振動幅が所定値を超えた各時刻の差が前記２個のマイクロホンの間の距離に応じた時間値である場合に、当該絶縁物において前記シンチレーションが発生したと推定するステップと、を実行することを特徴とする。  
この方法によれば、表面の絶縁性が劣化し始めた絶縁物に電圧を印加すると、劣化の前兆現象（シンチレーション）として、放電とともにパチパチという音が発生する。そこで、電圧を印加した絶縁物から発生する音響信号を測定し、測定した音響信号の振動幅が所定値より大きければ、シンチレーションが発生したと推定する。そして、２個のマイクロホンで測定した音響信号の振動幅が所定値より大きくなった各時刻が、マイクロホン間の距離に応じた時間差になっていれば、２個のマイクロホンの各位置の延長線上にある絶縁物でシンチレーションが発生したと推定する。これによれば、絶縁物の表面劣化の前兆現象を確実に把握することにより、劣化を早期に検出することができる。次に、２個のマイクロホンを用いることにより、その延長線上にある絶縁物が劣化し始めていることを確認することができる。そして、音響信号の測定値を用いるので、電気的ノイズが高い環境であっても、感度よくシンチレーションを検出することができる。【００１１】
また、本発明の上記シンチレーション推定方法で、前記絶縁物において前記シンチレーションが発生したと推定するステップにおいて、前記音響信号の振動幅がともに所定値を超え、かつ、前記各時刻の差が前記２個のマイクロホンの間の距離に応じた時間値である場合に、前記２個のマイクロホンのうち、いずれか一方のマイクロホンと、当該絶縁物との間の距離を取得するステップと、商用電源により前記絶縁物に印加される電圧を測定するステップと、前記一方のマイクロホンで測定した音響信号が前記所定値を超えた時刻から、前記取得した距離に応じた時間値を減算した時刻を、前記絶縁物でシンチレーションが発生した時刻として推定するステップと、を実行し、前記推定した時刻における前記電圧の位相が略９０度又は２７０度であるときに、前記絶縁物においてシンチレーションが発生したと推定することとしてもよい。  
この方法によれば、商用電源による交流電圧を絶縁物に印加した際に、電圧がピーク値、すなわち、最大振幅になるときに、絶縁物に対するストレスが最大になるので、シンチレーションが発生しやすくなる。そして、交流電圧が最大振幅になるのは、正のピーク値に対応する９０度の位相、及び、負のピーク値に対応する２７０度の位相のときである。これによれば、絶縁物でシンチレーションが発生したと推定される時刻が、９０度又は２７０度の電圧位相に該当する場合には、当該絶縁物におけるシンチレーション発生の推定が確実になったと言える。【００１２】
また、本発明の上記シンチレーション推定方法で、前記絶縁物において前記シンチレーションが発生したと推定するステップにおいて、前記音響信号の振動幅がともに所定値を超え、かつ、前記各時刻の差が前記２個のマイクロホンの間の距離に応じた時間値である場合に、前記絶縁物の接地線電流を測定するステップと、前記推定した時刻における前記接地線電流の高周波成分の強度を特定するステップと、を実行し、前記特定した強度及びその発生頻度がワイブル分布に従っている場合に、前記絶縁物においてシンチレーションが発生したと推定することとしてもよい。  
この方法によれば、シンチレーションは、絶縁物に電圧を印加した際に、絶縁性が弱く、放電が起きやすい箇所で発生する現象であるので、物体に加えたストレスと、そのストレスにより特定の現象が起こる確率との関係を示すワイブル分布（最弱点分布）に従うと考えられる。そして、シンチレーション発生時には、絶縁物の接地線電流が高周波になる。これによれば、絶縁物でシンチレーションが発生したと推定される時刻に、接地線電流の高周波成分の強度を特定し、特定した電流強度及びその発生頻度がワイブル分布に従っている場合には、当該絶縁物におけるシンチレーション発生の推定がさらに確実になったと言える。【００１３】
その他、本願が開示する課題及びその解決方法は、発明を実施するための形態の欄、及び図面により明らかにされる。
【発明の効果】
【００１４】
本発明によれば、絶縁物のトラッキング劣化を早期に検出することができる。
【図面の簡単な説明】
【００１５】
【図１】がいし１で発生するシンチレーション信号を検出するための装置の構成を示す図である。
【図２】（ａ）はがいし１に印加される電圧の変化を示し、（ｂ）はがいし１の接地線電流の変化を示し、（ｃ）は（ｂ）の破線の部分を拡大したものを示す。
【図３】（ａ）はがいし１の音響信号を示し、（ｂ）は（ａ）の破線の部分を拡大したものを示し、（ｃ）は（ｂ）を約１ｍｓｅｃ単位の時間ブロックに区分した際の、各時間ブロックにおける、音響信号の最大値及び最小値の差分を示す。
【図４】シンチレーション発生時にがいし１に印加された電圧のピーク強度分布を示す図である。
【図５】シンチレーションを検出するための手順を示すフローチャートである。
【発明を実施するための形態】
【００１６】
以下、図面を参照しながら、本発明を実施するための形態を説明する。本発明の実施の形態に係るシンチレーション推定方法は、電圧を印加されたがいしで発生する音響信号を２個のマイクロホンで測定し、測定した音響信号の振動幅が所定値以上であり、かつ、音響信号間にマイクロホン間の距離に応じた時間相関がある場合に、当該がいしでシンチレーションが発生したと推定するものである。そして、シンチレーション発生時における印加電圧の位相が９０度及び２７０度の付近に分布していることを確認する。さらに、シンチレーション発生時における接地線電流の強度分布が弱点破壊の分布（ワイブル分布）になっていることを確認する。
【００１７】
これによれば、スイッチギア内等の、電流のＳ／Ｎ比が悪い環境下であっても、シンチレーション信号を精度よく検出することができる。
【００１８】
≪装置の構成≫
図１は、がいしで発生するシンチレーション信号を検出するための装置の構成を示す図である。がいし１は、スイッチギア内に設置される絶縁支持物であり、シンチレーションが発生しているか否かの監視を受ける対象である。母線２は、変電所から延設され、６．６ｋＶの電力を供給する商用系統（商用電源）である。計器用変圧器（Voltage Transformer）３は、がいし１の上部と、母線２との間に設置され、がいし１が母線２から受ける電圧を測定する（以下、ＶＴ３という）。計器用変流器（Current Transformer）４は、がいし１の下部と、アースとの間を接続する接地線に設けられ、接地線に流れる電流を測定する（以下、ＣＴ４という）。数年に１回の頻度で定期的に行われる検査において、がいし１に電圧ストレスを印加したときに、がいし１の絶縁性が弱く、放電が起きやすい箇所（弱い箇所）でシンチレーションがランダムに発生する。
【００１９】
一方、マイクロホンＭ１及びＭ２は、１個のがいし１から同じ方向に、かつ、異なる距離だけ離れた位置に設置され、当該がいし１で発生する音波を測定する。そして、マイクロホンＭ１及びＭ２が受けた音響信号間において、マイクロホンＭ１及びＭ２の間の距離に応じた時間相関があるか否かをチェックし、時間相関があれば、がいし１でシンチレーション発生の可能性があると判定する。また、がいし１に近い方のマイクロホンＭ１と、がいし１との間を所定の距離に設定しておく。これは、マイクロホンＭ１における音響信号の測定時刻から、当該距離に応じた時間値を減算することにより、がいし１におけるシンチレーションの発生時刻を推定するためである。マイクロホンＭ１及びＭ２は、可搬であるため、がいし１の劣化部位を把握するのに適する。
【００２０】
なお、ＶＴ３、ＣＴ４、マイクロホンＭ１及びＭ２の測定装置には、それぞれ記憶装置及び表示装置が接続されており、各測定値の時間的変化が記憶され、かつ、表示されるように構成されるものとする。また、各測定装置がネットワークを介して１の記憶装置及び１の表示装置に接続され、各測定値の時間的変化が一括して記憶され、かつ、１つの画面に同時に表示されるように構成されてもよい。これにより、検査担当者は、表示装置の画面に表示された各測定値の時間的変化を参照して、シンチレーションが発生しているか否かを判断することができる。
【００２１】
≪各測定値の時間的変化≫
図２及び図３は、各測定装置による測定値の時間的変化を示す図である。図２（ａ）は、ＶＴ３で測定された、がいし１に印加される電圧を示す。図２（ｂ）及び（ｃ）は、ＣＴ４で測定された、がいし１の接地線電流を示し、図２（ｂ）の破線で囲まれた部分を拡大したものが図２（ｃ）である。図３（ａ）及び（ｂ）は、マイクロホンＭ１で測定された、がいし１の音響信号を示し、図３（ａ）の破線で囲まれた部分を拡大したものが図３（ｂ）である。図３（ｃ）は、図３（ｂ）を１ｍｓｅｃ単位の時間ブロックに区分した際の、各時間ブロックにおける、音響信号の最大値及び最小値の差分（振動幅）を示す。
【００２２】
母線２には商用電力が供給されるので、図２（ａ）に示すように、がいし１に印加される電圧の変化は正弦曲線になり、９０度の位相のときに正のピーク値をとり、２７０度の位相のときに負のピーク値をとる。そして、印加電圧がピーク値になるときに、がいし１にシンチレーションが発生しやすい。そこで、シンチレーションの推定精度を上げるために、シンチレーションが発生したと推定される時刻が９０度又は２７０度の位相付近であるか否かを確認する。
【００２３】
図２（ｃ）の電流変化では、２つの負のピーク値が現れている。そのうち、左側のピーク値はシンチレーションによるものであり、一方、右側のピーク値は電気的なノイズの変動によるものである。このように、接地線電流の場合、シンチレーション信号よりノイズの方が大きくなることがある。これは、スイッチギア内には複数の電力機器が設置されており、接地線電流には、監視対象のがいし１の漏れ電流だけでなく、他の電力機器からの電流も含まれるからである。従って、接地線電流の大小関係を用いてシンチレーションを判別するのは困難であると言える。
【００２４】
一方、図３（ｂ）及び（ｃ）に示すように、１ｍｓｅｃ単位に音響信号の最大値及び最小値を常時監視しながら、最大値及び最小値の差分が急増した（当該差分が予め設定したしきい値を超えた）場合に、シンチレーションピークと判断する。音速は約３４０ｍｍ／ｍｓｅｃであるから、本実施形態の前提として、がいし１と、マイクロホンＭ１との間の距離を１ｍとすると、ＣＴ４が測定した電流信号にシンチレーション信号が現れてから約３ｍｓｅｃ経過したときに、マイクロホンＭ１が音波を捉える。従って、１ｍｓｅｃ単位で音響信号の最大値及び最小値を観測すると、がいし１でシンチレーションが発生してから約３ｍｓｅｃ経過したときに、最大値及び最小値の差分が急増する。そこで、シンチレーションの判定精度を上げるために、音響信号の急増時刻より約３ｍｓｅｃ前における接地線電流を把握し、その電流強度の分布状況を確認する。
【００２５】
以上によれば、最初にがいし１におけるシンチレーション発生の可能性を判断する際には、接地線電流よりも音波を測定した方が、シンチレーションとの相関がよく、データ処理が簡単であるので、シンチレーション検出に適していると言える。
【００２６】
≪ワイブル分布について≫
図４は、シンチレーション発生時にがいし１に印加された電圧のピーク強度分布を示す図である。図４のグラフにおいて、横軸はがいし１の印加電圧のピーク強度（ｍＶ）を示し、縦軸は各電圧におけるシンチレーション発生の累積頻度（％）を示す。この縦軸の目盛りは、ピーク強度及び累積頻度の関係がワイブル分布になっているか否かの判定を容易にするために、プロットした点が直線上に載るか否かにより当該判定ができるように設定されている。
【００２７】
ワイブル分布は、物体の強度、時間経過による劣化現象や寿命を統計的に記述する確率分布であり、最弱点分布とも呼ばれ、例えば、鎖を引張ったときの力（かけるストレス）と、鎖が切れる箇所の頻度（現象が起こる確率）との関係を示すモデルとして用いられる。そして、シンチレーションは、がいし１に電圧を加えた際に、がいし１の表面のうち、最も弱い箇所で、放電とともにパチパチという音が発生する現象であるので、最弱点分布であるワイブル分布に従うと予想される。
【００２８】
実際に、図４に示すように、ＶＴ３で測定された、電圧位相９０度付近のピーク電圧（パルス幅  〜１００μｓｅｃ）及びシンチレーション発生の累積頻度についてワイルブルプロットすると、プロットした点がほぼ直線上に載っている。これにより、シンチレーション現象は、弱い箇所で発生し、ワイブル分布に従うという予想が実証されたと言える。逆に言えば、音響信号を用いてシンチレーションであると推定した現象（例えば、推定時刻における接地線電流のピーク強度）がワイブル分布に載っているか否かにより、その推定が正しいか否かを確認することができる。
【００２９】
≪シンチレーション発生の判定手順≫
図５は、トラッキング劣化の前兆現象であるシンチレーションを検出するための手順を示すフローチャートである。本手順は、電力会社の検査担当者が、がいし１に電圧を印加し、マイクロホンＭ１及びＭ２の音響信号、ＶＴ３の電圧及びＣＴ４の電流を含む測定値に基づいて、電圧を印加したがいし１でシンチレーションが発生しているか否かを判定するものであり、特に、各がいしで発生する音響信号の処理を優先したフローにより、データ処理を簡単にし、判定精度の向上を図っている。なお、検査担当者による判定は、リアルタイムに各測定値データを表示した画面を参照して行ってもよいし、事後に各測定値データの印刷物を参照して行ってもよい。
【００３０】
最初に、検査担当者は、マイクロホンＭ１及びＭ２の測定値の変化を参照して、音響信号が急増したか否かを判断する（Ｓ５０１）。詳細には、図３（ｂ）及び（ｃ）に示すように、時間を所定幅（例えば、１ｍｓｅｃ）のブロックに区分し、そのブロックごとに音響信号の最大値及び最小値を特定し、特定した最大値及び最小値の差分（振動幅）が閾値を超えた否かを判定する。なお、図３（ｂ）の測定データから図３（ｃ）の編集データを生成する処理をコンピュータで行ってもよい。音響信号が急増していなければ（Ｓ５０１のＮＯ）、Ｓ５０１の監視を続ける。
【００３１】
マイクロホンＭ１及びＭ２の音響信号が急増していれば（Ｓ５０１のＹＥＳ）、検査担当者は、急増した２つの音響信号間の時間相関があるか否かを判断する（Ｓ５０２）。詳細には、図１に示すように、マイクロホンＭ１及びＭ２は所定の間隔で設けられているので、その間隔の長さ（距離）を音速で除算することにより算出される音波時間の遅れを考慮して、相関係数を算出し、相関係数が所定の閾値（例えば、０．８）以上であれば、正の相関があるので、がいし１で発生したシンチレーション信号であると推定する。音響信号間の時間相関がなければ（Ｓ５０２のＮＯ）、Ｓ５０１の音響信号監視を続ける。
【００３２】
音響信号間の時間相関があれば（Ｓ５０２のＹＥＳ）、がいし１でシンチレーションが発生していると推定されるが、推定の精度を上げるために、さらにがいし１に係る電圧や電流を用いて、シンチレーション発生の推定が正しいか否かの確認を行う（Ｓ５０３〜Ｓ５０８）。
【００３３】
まず、検査担当者は、マイクロホンＭ１の音響信号からシンチレーション信号の発生時刻を推定する（Ｓ５０３）。詳細には、図１に示すように、がいし１及びマイクロホンＭ１の間には所定の距離があるので、その距離を音波が進む時間だけ、がいし１におけるシンチレーション信号の発生時刻と、マイクロホンＭ１における音響信号ピークの測定時刻とがずれる。従って、音響信号ピークの測定時刻から上記時間だけ遡れば、シンチレーション信号の発生時刻となる。音速は約３４０ｍｍ／ｍｓｅｃであるから、がいし１と、マイクロホンＭ１との間が例えば１ｍ離れていれば、上記時間のずれは約３ｍｓｅｃであり、音響信号ピークの測定時刻から約３ｍｓｅｃ前に、シンチレーションが発生したと推定される。なお、マイクロホンＭ１の代わりに、マイクロホンＭ２の音響信号及びマイクロホンＭ２とがいし１との間の距離を用いて、シンチレーション信号の発生時刻を推定してもよい。
【００３４】
次に、検査担当者は、Ｓ５０３で推定した時刻において、がいし１に印加した電圧の位相が９０度又は２７０度の付近か否かを判断する（Ｓ５０４）。詳細には、図２（ａ）に示すように、がいし１の電圧は、位相が９０度のときに正のピーク値になり、位相が２７０度のときに負のピーク値になり、それらのときにシンチレーションが起きやすい。そこで、ＶＴ３の測定値の時間的変化を表示した表示装置の画面を参照して、シンチレーション発生の推定時刻が、ＶＴ３の測定値のうち、電圧がピーク値になるタイミングか否かを確認する。
【００３５】
電圧の位相が９０度又は２７０度の付近であれば（Ｓ５０４のＹＥＳ）、がいし１でシンチレーションが発生したという推定が正しいことを確認することができる。そして、さらなる確認のために、検査担当者は、推定した時刻において、ＣＴ４で測定した接地線電流の、５ｋＨｚ程度以上の高周波成分のピーク強度を算出し（Ｓ５０５）、ピーク強度の分布がシンチレーション信号として妥当か否かを判断する（Ｓ５０６）。詳細には、シンチレーション発生時に接地線電流が高周波になるので、今までの接地線電流の高周波成分のピーク強度を記憶装置に蓄積しておいて、その蓄積したピーク強度及び上記算出したピーク強度の分布を表示し、それらの分布がワイブル分布に載るか否かを確認する。
【００３６】
ピーク強度分布が妥当であれば（Ｓ５０６のＹＥＳ）、検査担当者は、がいし１でシンチレーションが発生していると推定する（Ｓ５０７）。これにより、音響信号によるシンチレーション発生の推定が正しいことを再確認することができる。一方、がいし１の電圧位相が９０度の付近でもなく、２７０度の付近でもない場合（Ｓ５０４のＮＯ）、又は、ピーク強度分布が妥当でなければ（Ｓ５０６のＮＯ）、検査担当者は、シンチレーション信号を示すとした音響信号はノイズだったと推定する（Ｓ５０８）。そして、Ｓ５０１の音響信号監視に戻る。
【００３７】
≪実施例≫
スイッチギアは、複数のバンクが並列するように構成され、そのバンクごとにがいし１が内設されている。従って、図５の判定手順を実際にスイッチギアに適用する際には、先に各バンクのシャッタを開放し、各がいし１から音波を直接受けることができるようにマイクロホンＭ１及びＭ２を順に設置し、Ｓ５０１及びＳ５０２の音響信号に関する判定を行うことにより、シンチレーション発生が推定されるがいし１を特定する。がいし１にシンチレーションが発生していれば、マイクロホンＭ１及びＭ２を数分間設置しておくことにより、音響信号のピークを検出できるので、バンク（がいし１）ごとに順番に確認していく。そして、上記の特定したがいし１の電圧をＶＴ３（がいし１ごとの測定装置）で測定し、そのがいし１の接地線電流をＣＴ４（スイッチギアで共通の測定装置）で測定し、それらの測定値に基づいてシンチレーション発生を確認する。
【００３８】
なお、各測定値の取得及びシンチレーションの推定の処理をシステム化し、コンピュータで一括して行う際には、バンク（がいし１）ごとにマイクロホンＭ１及びＭ２を設置するようにしてもよい。
【００３９】
以上説明した本発明の実施の形態によれば、がいし１の表面における絶縁劣化を早期に検出することができる。
【００４０】
詳細には、まず、図５のＳ５０１に示すように、がいし１から発生する音波を測定し、その音波の振動幅に基づいて、がいし１で劣化の前兆であるシンチレーションが発生しているか否かを推定するので、がいし１のトラッキング劣化を早期に検出することができる。また、音波を用いるので、電気的なノイズが高い環境であっても、高感度かつ高信頼度で検出することができる。また、図３（ｃ）に示すように、音響信号の時間的変化を時間ブロックに区分し、その時間ブロックごとのピーク値を求めて、シンチレーション発生の判定基準となる閾値と比較するので、データ処理を簡単化することができる。
【００４１】
次に、Ｓ５０２に示すように、２個のマイクロホンＭ１及びＭ２で音波を測定し、その測定した２つの音波がピークになる各タイミングの間に、距離に応じた時間相関があるか否かに応じて、がいし１でシンチレーションが発生しているか否かを推定するので、劣化し始めているがいし１を特定することができる。
【００４２】
続いて、Ｓ５０４に示すように、シンチレーションが発生したと推定される時刻が、がいし１に印加される電圧の９０度の位相又は２７０度の位相に対応するか否かを確認するので、シンチレーション発生の推定を確実にすることができる。
【００４３】
そして、Ｓ５０６に示すように、がいし１の接地線電流の高周波成分のピーク強度がワイブル分布に従っているか否かを確認するので、シンチレーション発生の推定をさらに確実にすることができる。
【００４４】
≪その他の実施の形態≫
以上、本発明を実施するための形態について説明したが、上記実施の形態は本発明の理解を容易にするためのものであり、本発明を限定して解釈するためのものではない。本発明はその趣旨を逸脱することなく変更、改良され得るとともに、本発明にはその等価物も含まれる。例えば、以下のような実施の形態が考えられる。
【００４５】
（１）上記実施の形態では、がいし１を検査対象にしたシンチレーション推定方法を説明したが、他の絶縁物に本シンチレーション推定方法を適用してもよい。例えば、絶縁体がコーティングされた電線や変圧器等を検査対象にしてもよい。  
（２）上記実施の形態では、２個のマイクロホンＭ１及びＭ２を用いてがいし１の音波を測定するように記載したが、１個のマイクロホンを用いて、電圧を印加したがいし１から発生する音波を測定し、その音波の振動幅が所定値以上である場合に、シンチレーションが発生していると推定してもよい。これによれば、簡単な装置構成を用いて、がいし１の劣化を早期に検出することができる。
【符号の説明】
【００４６】
１      がいし（絶縁物）
２      母線
３      計器用変圧器
４      計器用変流器
Ｍ１、Ｍ２  マイクロホン
【図１】
2013160991.tif 000003
【図４】
2013160991.tif 000004
【図５】
2013160991.tif 000005
【図２】
2013160991.tif 000006
【図３】
2013160991.tif 000007
【手続補正書】
【提出日】平成27年2月19日(2015.2.19)
【手続補正１】
【補正対象書類名】特許請求の範囲
【補正対象項目名】全文
【補正方法】変更
【補正の内容】
【特許請求の範囲】
【請求項１】
絶縁物の表面劣化の前兆現象であるシンチレーションの発生を推定する方法であって、
前記絶縁物に電圧を印加するステップと、
前記電圧を印加した絶縁物から同じ方向かつ異なる距離にある２個のマイクロホンを用いて、当該絶縁物から発生する音響信号を測定するステップと、
前記２個のマイクロホンで測定した音響信号の振動幅がともに所定値を超え、かつ、当該音響信号の振動幅が所定値を超えた各時刻の差が前記２個のマイクロホンの間の距離に応じた時間値である場合に、当該絶縁物において前記シンチレーションが発生したと推定するステップと、
を実行することを特徴とするシンチレーション推定方法。
【請求項２】
請求項１に記載のシンチレーション推定方法であって、
前記絶縁物において前記シンチレーションが発生したと推定するステップにおいて、前記音響信号の振動幅がともに所定値を超え、かつ、前記各時刻の差が前記２個のマイクロホンの間の距離に応じた時間値である場合に、
前記２個のマイクロホンのうち、いずれか一方のマイクロホンと、当該絶縁物との間の距離を取得するステップと、
商用電源により前記絶縁物に印加される電圧を測定するステップと、
前記一方のマイクロホンで測定した音響信号が前記所定値を超えた時刻から、前記取得した距離に応じた時間値を減算した時刻を、前記絶縁物でシンチレーションが発生した時刻として推定するステップと、
を実行し、
前記推定した時刻における前記電圧の位相が略９０度又は２７０度であるときに、前記絶縁物においてシンチレーションが発生したと推定する
ことを特徴とするシンチレーション推定方法。
【請求項３】
請求項１又は請求項２に記載のシンチレーション推定方法であって、
前記絶縁物において前記シンチレーションが発生したと推定するステップにおいて、前記音響信号の振動幅がともに所定値を超え、かつ、前記各時刻の差が前記２個のマイクロホンの間の距離に応じた時間値である場合に、
前記絶縁物の接地線電流を測定するステップと、
前記推定した時刻における前記接地線電流の高周波成分の強度を特定するステップと、
を実行し、
前記特定した強度及びその発生頻度がワイブル分布に従っている場合に、前記絶縁物においてシンチレーションが発生したと推定する
ことを特徴とするシンチレーション推定方法。
【手続補正２】
【補正対象書類名】明細書
【補正対象項目名】０００９
【補正方法】削除
【補正の内容】
【手続補正３】
【補正対象書類名】明細書
【補正対象項目名】００１０
【補正方法】変更
【補正の内容】
【００１０】
上記課題を解決するために、本発明は、絶縁物の表面劣化の前兆現象であるシンチレーションの発生を推定する方法（シンチレーション推定方法）であって、前記絶縁物に電圧を印加するステップと、前記電圧を印加した絶縁物から同じ方向かつ異なる距離にある２個のマイクロホンを用いて、当該絶縁物から発生する音響信号を測定するステップと、前記２個のマイクロホンで測定した音響信号の振動幅がともに所定値を超え、かつ、当該音響信号の振動幅が所定値を超えた各時刻の差が前記２個のマイクロホンの間の距離に応じた時間値である場合に、当該絶縁物において前記シンチレーションが発生したと推定するステップと、を実行することを特徴とする。
この方法によれば、表面の絶縁性が劣化し始めた絶縁物に電圧を印加すると、劣化の前兆現象（シンチレーション）として、放電とともにパチパチという音が発生する。そこで、電圧を印加した絶縁物から発生する音響信号を測定し、測定した音響信号の振動幅が所定値より大きければ、シンチレーションが発生したと推定する。そして、２個のマイクロホンで測定した音響信号の振動幅が所定値より大きくなった各時刻が、マイクロホン間の距離に応じた時間差になっていれば、２個のマイクロホンの各位置の延長線上にある絶縁物でシンチレーションが発生したと推定する。これによれば、絶縁物の表面劣化の前兆現象を確実に把握することにより、劣化を早期に検出することができる。次に、２個のマイクロホンを用いることにより、その延長線上にある絶縁物が劣化し始めていることを確認することができる。そして、音響信号の測定値を用いるので、電気的ノイズが高い環境であっても、感度よくシンチレーションを検出することができる。
【国際調査報告】
2013160991.tif 000008
2013160991.tif 000009
2013160991.tif 000010
2013160991.tif 000011